(57)【要約】【課題】プライバシー性が得られるとともに、生産性と機械的強度の高い建築用ガラスチューブと、その建築用ガラスチューブを複数本並べてなるガラス壁を提供することである。【解決手段】本発明の建築用ガラスチューブは、継ぎ目のないガラスチューブの空洞部に透光不透視な材料を挿置してなることを特徴とする。また、本発明のガラス壁は、継ぎ目のないガラスチューブの空洞部に透光不透視な材料を挿置してなる建築用ガラスチューブを複数本並べてなることを特徴とする。【選択図】図１
2005068949.tif 000002
【特許請求の範囲】
【請求項１】
継ぎ目のないガラスチューブの空洞部に透光不透視な材料を挿置してなることを特徴とする建築用ガラスチューブ。
【請求項２】
透光不透視な材料が複数個の透明な粒状物であることを特徴とする請求項１に記載の建築用ガラスチューブ。
【請求項３】
透明な粒状物が、ガラス、シリカゲルおよび樹脂からなる群より選ばれた一種または二種以上の材料からなることを特徴とする請求項２に記載の建築用ガラスチューブ。
【請求項４】
透光不透視な材料がシート状物であることを特徴とする請求項１に記載の建築用ガラスチューブ。
【請求項５】
シート状物が、和紙、織布、不織布、乳白樹脂シート、乳白ガラスまたは透明樹脂シートにガラスファイバーシートを接着した積層板であることを特徴とする請求項４に記載の建築用ガラスチューブ。
【請求項６】
シート状物をガラスチューブの空洞部を縦方向に略二分割するように挿置してなることを特徴とする請求項４または５に記載の建築用ガラスチューブ。
【請求項７】
請求項１〜６のいずれかに記載の建築用ガラスチューブを複数本並べてなることを特徴とするガラス壁。
【請求項８】
複数本の請求項６に記載の建築用ガラスチューブをシート状物の透光面の向きが略同一となるように並設してなり、複数本の建築用ガラスチューブまたはシート状物が連動して回動可能となるように連結されてなることを特徴とするガラス壁。
【発明の詳細な説明】
【技術分野】
【０００１】
本発明は、建築用ガラスチューブおよびガラス壁に関するものである。
【背景技術】
【０００２】
従来、ガラスチューブは、蛍光灯やネオンサイン等の照明装置に用いられてきたが、近年、建築物の形状や装飾の形態が多様化していることに伴って、種々の断面形状を有する略中空筒形のガラス体（ガラスチューブ）が建築物の装飾に使用されるようになってきた（例えば、特許文献１参照。）。
【特許文献１】特開２００３−１２９６０７号公報
【発明の開示】
【発明が解決しようとする課題】
【０００３】
しかし、特許文献１に記載されている略中空筒形のガラス体を複数本並べてなるガラス壁は、採光性を有するものの物体や人物を明瞭に視認することがでるため、いわゆるプライバシー性が得られにくく、また、複数枚のガラスパネルを定形シリコーンシーリング材で接着してなるため、生産性が低くなるとともに、接着面での剥がれが生じやすくなり機械的強度が低くなるという問題を有していた。
【０００４】
本発明の目的は、プライバシー性が得られるとともに、生産性と機械的強度の高い建築用ガラスチューブと、その建築用ガラスチューブを複数本並べてなるガラス壁を提供することである。
【課題を解決するための手段】
【０００５】
本発明者は、継ぎ目のないガラスチューブを使用することで生産性と機械的強度を高めることができ、ガラスチューブの空洞部に透光不透視な材料を挿置することでプライバシー性を得ることができることを見いだし、本発明を提案するものである。
【０００６】
すなわち、本発明の建築用ガラスチューブは、継ぎ目のないガラスチューブの空洞部に透光不透視な材料を挿置してなることを特徴とする。
【０００７】
また、本発明のガラス壁は、継ぎ目のないガラスチューブの空洞部に透光不透視な材料を挿置してなる建築用ガラスチューブを複数本並べてなることを特徴とする。
【発明の効果】
【０００８】
本発明の建築用ガラスチューブは、継ぎ目のないガラスチューブの空洞部に透光不透視な材料を挿置してなるため、これを複数本並べたガラス壁は、透光性を有しながらプライバシー性が得られるとともに、ガラスチューブの連続成形が可能であり生産性が高く、接着面で剥がれたりすることがなく機械的強度が高い。
【０００９】
また、本発明の建築用ガラスチューブは、外表面がガラスであるため、傷がつきにくいとともに、高級感を有する。
【００１０】
また、本発明のガラス壁は、継ぎ目のないガラスチューブの空洞部に透光不透視な材料を挿置してなる建築用ガラスチューブを複数本並べてなるため、透光性を有するとともにプライバシー性が得られ、生産性や機械的強度が高い。
【発明を実施するための最良の形態】
【００１１】
本発明の建築用ガラスチューブは、透光不透視な材料が複数個の透明な粒状物であると、透明な粒状物の表面で光が散乱されるため透光不透視になりやすい。
【００１２】
また、本発明の建築用ガラスチューブは、継ぎ目のないガラスチューブの空洞部に複数個の透明な粒状物が充填されてなると、または、複数個の透明な粒状物がガラスチューブの内表面の全域にわたって固定されてなると透光不透視となりやすい。
【００１３】
透明な粒状物は、ガラス、シリカゲルおよび樹脂からなる群より選ばれた１種または二種以上の材料からなると好ましい。なお、粒状物とは球状、粒状、棒状、鱗片状の形状を有する物質を指す。また、透明な粒状物が、青色、緑色、黄色、赤色等に着色されていても無色であっても良く、それらを混合して使用しても構わない。
【００１４】
透明な粒状物の平均粒径が０．５〜７ｍｍ、好ましくは１〜６．５ｍｍであると、透光不透視となりやすい。透明な粒状物の平均粒径が０．５ｍｍよりも小さいと、透光性が得られにくく、７ｍｍよりも大きいと、光が散乱されにくいため不透視になりにくい。
【００１５】
ガラスは、屈折率が高いため光が散乱されやすく、建築用ガラスチューブが透光不透視となりやすい。また、ガラスは、耐候性に優れるため変色したり、ひび割れたりせず外観が損なわれにくい。ガラスとしては、ソーダ石灰ガラス、アルミノアルカリ石灰ガラス、ホウケイ酸ガラス、アルミノホウケイ酸ガラス等が使用可能である。
【００１６】
樹脂としては、ポリカーボネート樹脂、ポリプロピレン樹脂、アクリル樹脂、ポリスチレン樹脂、塩化ビニル樹脂、フッ素樹脂等が使用可能である。
【００１７】
シリカゲルは、結露に起因するカビ等の発生や、ガラスチューブからアルカリイオンが溶出して起こる白濁の発生を長期間にわたって抑制できるため建築用ガラスチューブの外観が損なわれにくい。また、建築用ガラスチューブの両端の少なくとも一方が通気性を有していると、建築用ガラスチューブの近傍の湿度が高い場合にはシリカゲルが水分を吸収して湿度を低くでき、また、建築用ガラスチューブの近傍の湿度が低い場合にはシリカゲルが吸収した水分を放出して湿度を高くすることができ、建築用ガラスチューブの近傍の湿度変化を緩和することができる。
【００１８】
また、複数個の透明な粒状物、例えば、ガラスまたは樹脂からなる粒状物に、不透明な乾燥剤を５質量％以下の含有量で混合すると、透光不透視を維持しながらシリカゲルの場合と同様に結露の発生を抑制できるとともに湿度の調節が可能であるため好ましい。不透明な乾燥剤が５質量％よりも多いと、透光性が損なわれやすいため好ましくない。不透明な乾燥剤としては、塩化カルシウム、モレキュラーシーブス、ゼオライト、アロフェン、塩化マグネシウム等が使用可能である。
【００１９】
透光不透視な材料が透光不透視なシート状物、例えば、和紙、織布、不織布、乳白樹脂シート、乳白ガラス板または透明樹脂シートにガラスファイバーシートを接着した積層板であると好ましい。
【００２０】
本発明の建築用ガラスチューブは、透光不透視で略平板状のシート状物、例えば、乳白樹脂、乳白ガラスまたは積層板が、ガラスチューブの空洞部を縦方向に略二分割するように挿置されてなると、または、透光不透視な易撓性のシート状物、例えば、和紙やガラスファイバーシートがガラスチューブの内表面の全域にわたって当接するように挿置されてなると好ましい。
【００２１】
シート状物に模様や絵が描かれていると、意匠性を高めることができるため好ましい。
【００２２】
本発明の建築用ガラスチューブは、ガラスチューブの材質としては特に制限がないが、ホウケイ酸ガラスであるとガラスチューブの外表面や内表面に傷がつきにくく、外観が損なわれにくいため好ましい。
【００２３】
また、ガラスチューブは、断面形状が真円であっても、楕円のような異形であっても良く、直管であっても、アーチ状、波状、または、らせん状のように曲がっていても良いが、ガラスチューブがダンナー法によって作製された円筒形のガラスチューブであると生産性に優れ、継ぎ目がなく機械的強度が高い。
【００２４】
本発明のガラス壁は、継ぎ目のないガラスチューブの空洞部を縦方向に略二分割するようにシート状物を挿置してなる複数本の建築用ガラスチューブをシート状物の透光面の向きが略同一となるように並設してなり、複数本の建築用ガラスチューブまたはシート状物が連動して回動可能となるように連結されてなると、シート状物の透光面をガラス壁に対して平行にすれば、透光性を有するものの物体等を明瞭に視認できないプライバシー性を得ることができる。また、透視性を得たい場合、すなわち、ガラス壁を通して見たい場合にはシート状物の透光面がガラス壁に対して略垂直にすればよく、このように目的に応じて使い分けることができるため好ましい。
【実施例】
【００２５】
以下、本発明の建築用ガラスチューブおよびガラス壁を実施例に基づいて詳細に説明する。
【００２６】
図１は、本発明の実施例１または２の建築用ガラスチューブを示し、（ａ）は、斜視図であり、（ｂ）は、正面図であり、図２は、本発明の実施例３の建築用ガラスチューブを示し、（ａ）は、斜視図であり、（ｂ）は、正面図であり、図３は、本発明の実施例４の建築用ガラスチューブを示し、（ａ）は、斜視図であり、（ｂ）は、正面図である。また、図４は、実施例４のガラス壁を示し、（ａ）は、シート状物の透光面がガラス壁と略平行である場合の説明図であり、（ｂ）は、シート状物の透光面がガラス壁と略垂直である場合の説明図である。
【００２７】
［実施例１］
図１に示すように、実施例１の建築用ガラスチューブ１０は、ダンナー法によって作製した継ぎ目のない断面形状が真円の直管で、外径が５０ｍｍ、長さが１６００ｍｍ、肉厚が３．２ｍｍであるガラスチューブ１１の空洞部１１ａに２〜４ｍｍ（平均粒径が３ｍｍ）の直径を有する複数個の球状のガラス粒１２を充填してある。
【００２８】
ガラス壁は、上記の１０本の建築用ガラスチューブ１０、１０…を隙間なく平行に並べて形成してある（図示せず）。
【００２９】
なお、ガラスチューブ１１、および、ガラス粒１２は、組成が質量％でＳｉＯ2  ７０％、Ａｌ2Ｏ3  ５％、Ｂ2Ｏ3  １４％、ＣａＯ  ０．５％、ＢａＯ  １．５％、Ｎａ2Ｏ  ７％、Ｋ2Ｏ  ２％のホウケイ酸ガラスからなる。
【００３０】
［実施例２］
実施例２の建築用ガラスチューブおよびガラス壁は、ガラス粒のかわりに球状のシリカゲル（大江化学工業株式会社  シリカゲルＳＦ）をガラスチューブの空洞部に充填してある以外は実施例１と同様に形成してある。
【００３１】
なお、シリカゲルは、直径が１〜６ｍｍ、平均粒径は３ｍｍであった。
【００３２】
［実施例３］
図２に示すように実施例３の建築用ガラスチューブ１５は、ガラス粒のかわりにガラスファイバーシートを用い、ガラスファイバーシート１６をガラスチューブ１１の内表面１１ｂに当接するように挿置してある以外は実施例１と同様に形成してある。
【００３３】
また、ガラス壁は、上記の１０本の建築用ガラスチューブ１５、１５…を隙間なく平行に並べて形成してある（図示せず）。
【００３４】
なお、ガラスファイバーシート１６は、Ｅガラスからなる直径１０μｍの複数本のガラスフィラメントを交絡してある不織布であり、目付けが５５ｇ／ｍ2である。
【００３５】
［実施例４］
図３に示すように実施例４の建築用ガラスチューブ２０は、実施例３で用いたガラスファイバーシート１６を両方の表面２１ａ、２１ａに接着固定させたポリカーボネート樹脂シート２１からなる積層板２２（４３．６×１６００×０．７ｍｍ）を、ガラスチューブ１１の空洞部１１ａに二分割するようにガラスチューブ１１の内表面１１ｂにシリコーン接着剤２３を介して接着してある以外は実施例１と同様に形成してある。
【００３６】
また、図４に示すようにガラス壁２４は、１０本の建築用ガラスチューブ２０、２０…を積層板２２の透光面２２ａの向きが略同一となるように隙間なく平行に並設し、１０本の建築用ガラスチューブ２０、２０、…が連動して回動可能となるように連結糸２５によって連結されてなる。なお、連結糸２５は、建築用ガラスチューブ２０の外表面２０ａを交互に縫うように通され、建築用ガラスチューブ２０の外表面２０ａに接着点２０ａａまたは２０ａｂで固定されている。すなわち、連結糸２５の片端２５ａを引っ張ると図４（ａ）のように積層板２２の透光面２２ａの向きがガラス壁２４と略平行な状態から、建築用ガラスチューブ２０が連動して回転し、図４（ｂ）のように積層板２２の透光面２２ａがガラス壁２４に対して略垂直となる状態まで変化させることができる。
【００３７】
ガラス粒またはシリカゲルの平均粒径は、ノギスを用いて任意に選んだ５０個の直径を測定し、それらの平均値を算出したものである。
【００３８】
以上のように、実施例１〜４で作製したガラス壁は、透光不透視な材料によってプライバシー性が得られるとともに継ぎ目のないガラスチューブ１１を使用しているため機械的強度が高い。
【００３９】
また、実施例４は、積層板２２がガラスチューブ１１とともに回動できるため、図４（ａ）に示すように積層板２２の透光面２２ａをガラス壁２５と略平行にすると、透光性を有するものの物体等を明瞭に視認できないプライバシー性を得ることができる。また、図４（ｂ）に示すように積層板２２の透光面２２ａをガラス壁２５と略垂直にすると、ガラス壁を通して景色等を見ることができ、目的に応じて使い分けることができる。
【産業上の利用可能性】
【００４０】
以上のように、本発明の建築用ガラスチューブは、継ぎ目のないガラスチューブの空洞部に透光不透視な材料が挿置されてなり、この建築用ガラスチューブを複数本平行に並べてなるガラス壁は、プライバシー性が得られるとともに生産性や機械的強度が高いため、建築物の内外装材として使用される化粧壁、または、間仕切りに好適である。
【図面の簡単な説明】
【００４１】
【図１】実施例１または２の建築用ガラスチューブを示し、（ａ）は、斜視図であり、（ｂ）は、正面図である。
【図２】実施例３の建築用ガラスチューブを示し、（ａ）は、斜視図であり、（ｂ）は、正面図である。
【図３】実施例４の建築用ガラスチューブを示し、（ａ）は、斜視図であり、（ｂ）は、正面図である。
【図４】実施例４のガラス壁を示し、（ａ）は、シート状物の透光面がガラス壁と略平行である場合の説明図であり、（ｂ）は、シート状物の透光面がガラス壁と略垂直である場合の説明図である。
【符号の説明】
【００４２】
１０、１５、２０    建築用ガラスチューブ
１１    ガラスチューブ
１１ａ    空洞部
１１ｂ    内表面
１２    ガラス粒
１６    ガラスファイバーシート
２０ａ    外表面
２０ａａ、２０ａｂ    接着点
２１    ポリカーボネート樹脂シート
２１ａ    表面
２２    積層板
２２ａ    透光面
２３    接着剤
２４    ガラス壁
２５    連結糸
２５ａ    片端
【図１】
2005068949.tif 000003
【図２】
2005068949.tif 000004
【図３】
2005068949.tif 000005
【図４】
2005068949.tif 000006